(57)【要約】【目的】  留め具全体に強度を持たせずに、強度を担保する結合部材と固定する部材とに分留め具を離し役割分担させる事で、軽量、低コストになるベルト結合用留め具の構造の提供を目的とする。【構成】  雄留め具１は、雄留め具１とベルト２を結合するための雄結合部材３と雌留め具７と雄留め具１を固定するための雄固定部材４とで構成されている。雌留め具７は、雌留め具７とベルト８を結合するための雌結合部材９と雄留め具１と雌留め具７を固定するための雌固定部材１０とで構成されている。雌留め具７の穴１１に、ベルト２と結合した雄留め具１を挿通し、雌固定部材１０の先端１４を雄結合部材３の後端１５とベルト２とで挟むことで雄留め具１と雌留め具７とを結合させ強度を得ている。雄留め具１と雌留め具７とを結合させたあと雄固定部材４と雌固定部材１０とを結合させることで確実に固定している。【選択図】  図１
2007029676.tif 000002
【特許請求の範囲】
【請求項１】
下記の要件を特徴とするベルト結合用留め具
（ア）雄と雌の一対の留め具で構成されており、雄留め具は、雌留め具及びベルトを結合するための雄結合部材と雌留め具を固定するための雄固定部材で構成されている事。また、前記雄結合部材は、前記一対の留め具に想定される負荷に耐え得る強度を持っている事。
（イ）前記雌留め具は、前記雄留め具を挿通させる事ができ、尚且つ、前端部の幅が前記雄結合部材の後端部の幅より狭い形状の穴が設けられている雌結合部材と前記雄固定部材と結合固定する雌固定部材とで構成されている事。また、前記雌結合部材は、前記一対の留め具に想定される負荷に耐え得る強度を持っている事。
（ウ）前記雄固定部材は、雄結合部材の前端部に設けられていること。
（エ）前記雄結合部材と前記雌結合部材には、ベルトが下面から上面に挿通するための第一の穴が設けられており、第一の穴の横にはベルトが折り返して上面から下面へ挿通するための第二の穴が設けられている事。
（オ）前記雌固定部材の設けられている位置は、前記雄固定部材と雌固定部材とを結合固定したときに、前記雄留め具とベルトとの結合部の部材の後端部と前記強度部材の前端部が重なり合う様になる位置にある事。
【発明の詳細な説明】
【技術分野】
【０００１】  本願発明は、留め具全体に強度を持たせずに、強度を担保する結合部材と固定する部材とに留め具を分離し役割分担させる事で、軽量、低コストになるベルト結合用留め具の構造に関するものである。
【背景技術】
【０００２】  従来、図２に示すようなベルト結合用留め具１００がある。
同図において１０１は従来のベルト結合用留め具の雄留め具を表し、１０２は雌留め具を表している。同図において図３の（ａ）は前記ベルト結合用留め具の結合状態を表す正面図、図３の（ｂ）は前記ベルト結合用留め具の結合の方法を表す正面図。図３の（ｃ）は前記ベルト結合用留め具の結合の方法を表す上面図。【０００３】  前記従来のベルト結合用留め具は、以下の構成を有している。
前記従来のベルト結合用留め具は、強度の担保と軽量、低コスト化を計るために、同じ幅を有する金属を素材にした１０１と１０２とで構成されており、それぞれにベルト１０３が結合している。１０２に１０１を斜めにする事で挿通させ１０２の前端部１０４を１０１に結合するベルトと１０１の後端部１０５とで挟むように掛けることで結合している。強度の担保と軽量、低コスト化を計っている事から、着衣タイプの車用年少者拘束装置や救命胴衣、犬用シートベルトなどに使われている。
【発明の開示】
【発明が解決しようとする課題】
【０００４】  前記従来のベルト結合用留め具は、１０２の前端部を１０１に結合するベルトと１０１の後端部とで挟むように掛けることで結合している事から、常にテンションを掛けている必要がある。その為、テンションが抜けると１０２から１０１が抜けて結合が解離する事がある。結果、結合固定留め具としては確実性があるとは言えなかった、その為、あまり広く普及しなかった。
【課題を解決するための手段】
【０００５】  本願請求項に記載の発明に係るベルト結合用留め具（以下、留め具と言う）は、上記の課題を解決するため、下記の構成を有している。
（ア）雄と雌の一対の留め具で構成されており、雄留め具は、雌留め具及びベルトを結合するための雄結合部材と雌留め具を固定するための雄固定部材で構成されている事。また、前記雄結合部材は、前記一対の留め具に想定される負荷に耐え得る強度を持っている事。
（イ）前記雌留め具は、前記雄留め具を挿通させる事ができ、尚且つ、前端部の幅が前記雄結合部材の後端部の幅より狭い形状の穴が設けられている雌結合部材と前記雄固定部材と結合固定する雌固定部材とで構成されている事。また、前記雌結合部材は、前記一対の留め具に想定される負荷に耐え得る強度を持っている事。
（ウ）前記雄固定部材は、雄結合部材の前端部に設けられていること。
（エ）前記雄結合部材と前記雌結合部材には、ベルトが下面から上面に挿通するための第一の穴が設けられており、第一の穴の横にはベルトが折り返して上面から下面へ挿通するための第二の穴が設けられている事。
（オ）前記雌固定部材の設けられている位置は、前記雄固定部材と雌固定部材とを結合固定したときに、前記雄留め具とベルトとの結合部の部材の後端部と前記強度部材の前端部が重なり合う様になる位置にある事。
【発明の効果】
【０００６】  本願発明の留め具は、強度の担保を軽量、低コストで実現している従来の留め具１００に固定部材を備える事でメリットを損なう事無く、デメリットである結合の確実性と使い勝手の向上を計る事が出来る。何故ならば、結合を行う結合部材に強度を担保させ固定部材に強度を担保させていないために、構造が複雑にならず、尚且つ軽量、低コストに出来る。
【発明を実施するための最良の形態】
【０００７】  本願発明の係る留め具の形態を図に表し、その図を用いて説明する。
図１は、本願発明の留め具を表しており、図１（ａ）は雄留め具の正面図、図１（ｂ）は雌留め具の正面図、図１（ｃ）は留め具が結合した状態の正面図を表し、図１（ｄ）は留め具が結合した状態の上面図を表している。
図１（ａ）に示すように、雄留め具１は雄留め具１とベルト２を結合するための雄結合部材３と雌留め具７と雄留め具１を固定するための雄固定部材４とで構成されている。雄結合部材３の素材は強度と重量及びコストを考慮して選ぶようにする。雄結合部材３にはベルト２が下面から上面に挿通すための穴５とベルト２が穴５を挿通したあと折り返して上面から下面へ挿通するための穴６が設けられ、先端には雄固定部材４が設けられている。【０００８】  図１（ｂ）に示すように、雌留め具７は雌留め具７とベルト８を結合するための雌結合部材９と雄留め具１と雌留め具７を固定するための雌固定部材１０とで構成されている。
雌結合部材９の素材は強度と重量及びコストを考慮して選ぶようにする。雌結合部材９の先端に雄留め具１を挿通させるための穴１１とベルト８が下面から上面に挿通すための穴１２とベルト２が穴１２を挿通したあと折り返して上面から下面へ挿通するための穴１３が設けられ、後端には雌固定部材１０が設けられている。但し穴１１を挿通する事で雌留め具７と結合したベルト８に雌固定部材１０を設けても良い。穴１１の先端部１２の幅寸法は、雄結合部材３の幅を超えず、尚且つベルト２の幅を超える寸法にすること。【０００９】  図１（ｃ）に示すように、雌留め具７の穴１１に、ベルト２と結合した雄留め具１を挿通し、図１（ｄ）に示すように雌固定部材１０の先端１４を雄結合部材３の後端１５とベルト２とで挟むことで雄留め具１と雌留め具７とを結合させ強度を得ている。雄留め具１と雌留め具７とを結合させたあと雄固定部材４と雌固定部材１０とを結合させることで確実に固定している。
【図面の簡単な説明】
【００１０】
【図１】本願発明の留め具の図
【図２】従来のベルト結合用留め具の図
【符号の説明】
【００１１】  １−雄留め具                ６−穴                １１−穴
２−ベルト                  ７−雌留め具          １２−穴
３−雄結合部材              ８−ベルト            １３−穴
４−雄固定部材              ９−雌結合部材        １４−先端
５−穴                    １０−雌固定部材        １５−後端
【図１】
2007029676.tif 000003
【図２】
2007029676.tif 000004